(57)【要約】【課題】携帯型表示装置にて所定の暗証番号を入力し暗号化ファイルを閲覧している場合に、コンピュータ装置と接続してコンピュータ装置から暗号化ファイルの閲覧を行うに際し、暗証番号の再入力なしにコンピュータ装置上に暗号化ファイルを表示することのできるコンピュータ装置、プログラム、携帯型表示装置及び表示システムを提供する。【解決手段】携帯型表示装置とコンピュータ装置とを接続した状態において、コンピュータ装置は、携帯型表示装置に暗証番号の情報を有する暗証番号ファイルが存在する場合には、当該暗証番号ファイルを取得し、この取得した暗証番号ファイルに基づいて、暗号化ファイルの復号化を行うこととした。【選択図】図６
2010238059.tif 000002
【特許請求の範囲】
【請求項１】
メモリに記憶したデータの情報を表示する携帯型表示装置と通信して前記メモリに記憶したデータの情報を表示するコンピュータ装置において、
制御部と、
表示部と、
情報を入力する情報入力部と、
前記携帯型表示装置とデータの送受信を行う通信インターフェイスと、
暗証番号の情報を記憶するための記憶部と、を備え、
前記メモリには、暗号化データを記憶するセキュア領域と、非暗号化データを記憶する非セキュア領域とが形成されており、
前記制御部は、
前記通信インターフェイスを介して前記携帯型表示装置と接続したとき、前記携帯型表示装置の所定記憶領域に前記暗証番号の情報が記憶されているか否かを判定する第１処理と、
前記携帯型表示装置の所定記憶領域に前記暗証番号の情報が記憶されていると判定したとき、前記所定記憶領域から前記暗証番号の情報を読み出して前記記憶部に記憶すると共に前記所定記憶領域に記憶された暗証番号の情報を消去する第２処理と、
前記記憶部に記憶した暗証番号の情報に基づいて前記メモリに記憶した暗号化データを復号化する第３処理と、
前記第３処理で復号化したデータを前記表示部に表示する第４処理と、を実行することを特徴とするコンピュータ装置。
【請求項２】
前記情報入力部への操作により前記メモリのセキュア領域の閲覧要求があったとき、前記記憶部に暗証番号の情報が記憶されていなければ、前記表示部に暗証番号の入力を促す表示を行う第５処理を実行することを特徴とする請求項１に記載のコンピュータ装置。
【請求項３】
前記情報入力部への操作により前記携帯型表示装置との通信の切断要求があったことを検出すると、前記記憶部に暗証番号の情報が記憶されていれば、前記通信インターフェイスを介して当該記憶部に記憶している暗証番号の情報を前記携帯型表示装置の前記所定記憶領域に記憶する第６処理を実行することを特徴とする請求項２に記載のコンピュータ装置。
【請求項４】
請求項１〜３のいずれか１項に記載の前記コンピュータ装置の制御部に各前記処理を実行させることを特徴とすることを特徴とするプログラム。
【請求項５】
メモリに記憶したデータの情報を表示すると共に、外部のコンピュータ装置から前記メモリに記憶したデータの情報を読み出し可能とした携帯型表示装置において、
制御部と、
表示部と、
前記メモリに記憶したデータの読み出しを行うメモリインターフェイスと、
前記コンピュータ装置とデータの送受信を行う通信インターフェイスと、
情報を入力する情報入力部と、
暗証番号の情報を記憶する記憶部と、を備え、
前記メモリには、暗号化データを記憶するセキュア領域と、非暗号化データを記憶する非セキュア領域とが形成されており、
前記制御部は、
前記情報入力部により前記メモリのセキュア領域の閲覧要求があったときに、前記記憶部に前記暗証番号の情報が記憶されていなければ、前記表示部に暗証番号の入力を促す表示を行う第１処理と、
前記情報入力部から暗証番号の情報が入力されたとき、当該入力された暗証番号の情報を前記記憶部に記憶する第２処理と、
前記情報入力部から入力された暗証番号の情報により前記メモリのセキュア領域に記憶した暗号化データを復号化する第３処理と、
前記第３処理で復号化したデータを前記表示部に表示する第４処理と、
前記通信インターフェイスを介した前記コンピュータ装置との通信が確立され、その後当該通信が切断されたとき、前記記憶部に暗証番号の情報が記憶されていれば、前記表示部に前記メモリのセキュア領域の暗号化データを表示可能にするか否かを選択させるための選択要求画面を表示する第５処理と、
前記表示部に選択要求画面が表示されている状態で、前記情報入力部により前記セキュア領域の暗号化データを表示可能にする選択操作があったとき、前記暗証番号の情報の前記記憶部への記憶を維持し、前記情報入力部により前記セキュア領域の暗号化データを表示可能にしない選択操作があったとき、前記記憶部から前記暗証番号の情報を消去する第６処理と、を実行することを特徴とする携帯型表示装置。
【請求項６】
前記第６処理は、前記表示部に選択要求画面が表示されている状態で、前記情報入力部により前記セキュア領域の暗号化データを表示可能にする選択操作があったとき、前記メモリのセキュア領域に記憶された暗号化データのタイトルリストを前記表示部に表示することを特徴とする請求項５に記載の携帯型表示装置。
【請求項７】
前記暗証番号の情報を記憶する第２記憶部を備え、
前記第２処理において、前記情報入力部から入力された暗証番号の情報を前記第２記憶部に記憶し、
前記第３処理において、暗号化データの復号化を前記第２記憶部に記憶した暗証番号の情報により行い、
前記第５処理において、前記通信インターフェイスを介した前記コンピュータ装置との通信が確立され、その後当該通信が切断されたときに、前記記憶部に前記暗証番号の情報が記憶されていれば、当該暗証番号の情報を前記第２記憶部に記憶すると共に前記記憶部から前記暗証番号の情報を消去するようにしており、
さらに、前記通信インターフェイスを介した前記コンピュータ装置との通信が確立されたときに、前記第２記憶部に記憶した暗証番号の情報を消去する第７処理を実行することを特徴とする請求項６に記載の携帯型表示装置。
【請求項８】
メモリに記憶したデータの情報を表示すると共に、外部のコンピュータ装置から前記メモリに記憶したデータの情報を読み出し可能とした携帯型表示装置において、
制御部と、
表示部と、
前記メモリに記憶したデータの読み出しを行うメモリインターフェイスと、
前記コンピュータ装置とデータの送受信を行う通信インターフェイスと、
情報を入力する情報入力部と、
暗証番号の情報を記憶する記憶部と、を備え、
前記メモリには、暗号化データを記憶するセキュア領域と、非暗号化データを記憶する非セキュア領域とが形成されており、
前記制御部は、
前記情報入力部により前記メモリのセキュア領域の閲覧要求があったときに、前記記憶部に前記暗証番号の情報が記憶されていなければ、前記表示部に暗証番号の入力を促す表示を行う第１処理と、
前記情報入力部から暗証番号の情報が入力されたとき、当該入力された暗証番号の情報を前記記憶部に記憶する第２処理と、
前記情報入力部から入力された暗証番号の情報により前記メモリのセキュア領域に記憶した暗号化データを復号化する第３処理と、
前記第３処理で復号化したデータを前記表示部に表示する第４処理と、
前記通信インターフェイスを介した前記コンピュータ装置との通信が確立され、その後当該通信が切断されたとき、前記記憶部に暗証番号の情報が記憶されていれば、前記メモリのセキュア領域に記憶した暗号化データを復号化し、当該復号化したデータを前記表示部に表示する第５処理と、を実行することを特徴とする携帯型表示装置。
【請求項９】
メモリに記憶したデータの情報を表示する携帯型表示装置と、当該携帯型表示装置と通信して前記メモリに記憶したデータの情報を表示するコンピュータ装置とを備えた表示システムにおいて、
前記メモリには、暗号化データを記憶するセキュア領域と、非暗号化データを記憶する非セキュア領域とが形成されており、
前記携帯型表示装置は、
制御部と、
表示部と、
前記メモリに記憶したデータの読み出しを行うメモリインターフェイスと、
前記コンピュータ装置とデータの送受信を行う通信インターフェイスと、
情報を入力する情報入力部と、
暗証番号の情報を記憶する記憶部と、を備え、
前記携帯型表示装置の制御部は、
前記情報入力部により前記メモリのセキュア領域の閲覧要求があったときに、前記記憶部に前記暗証番号の情報が記憶されていなければ、前記表示部に暗証番号の入力を促す表示を行う第１処理と、
前記情報入力部から暗証番号の情報が入力されたとき、当該入力された暗証番号の情報を前記記憶部に記憶する第２処理と、
前記情報入力部から入力された暗証番号の情報により前記メモリのセキュア領域に記憶した暗号化データを復号化する第３処理と、
前記第３処理で復号化したデータを前記表示部に表示する第４処理と、を実行するものであり、
前記コンピュータ装置は、
制御部と、
表示部と、
情報を入力する情報入力部と、
前記携帯型表示装置とデータの送受信を行う通信インターフェイスと、
暗証番号の情報を記憶するための記憶部と、を備えており、
前記コンピュータ装置の制御部は、
前記通信インターフェイスを介して前記携帯型表示装置と接続したとき、前記携帯型表示装置の前記記憶部に前記暗証番号の情報が記憶されているか否かを判定する第１処理と、
前記携帯型表示装置の前記記憶部に前記暗証番号の情報が記憶されていると判定したとき、前記携帯型表示装置の前記記憶部から前記暗証番号の情報を読み出して前記記憶部に記憶すると共に前記携帯型表示装置の前記記憶部に記憶された暗証番号の情報を消去する第２処理と、
前記記憶部に記憶した暗証番号の情報に含まれる暗証番号の情報に基づいて前記メモリに記憶した暗号化データを復号化する第３処理と、
前記第３処理で復号化したデータを前記表示部に表示する第４処理と、を実行することを特徴とする表示システム。
【発明の詳細な説明】
【技術分野】
【０００１】
本発明は、携帯型表示装置とコンピュータ装置とを接続した際に、携帯型表示装置のメモリに記憶されている暗号化されたデータファイルをコンピュータ装置にて表示するためのコンピュータ装置、プログラム、携帯型表示装置及び表示システムに関する。
【背景技術】
【０００２】
従来より、メモリに複数記憶されているデータファイルの中から、いずれかのデータファイルを読み出してそのデータファイルに応じた画像を表示させる電子ブック等の携帯型表示装置が知られている。
【０００３】
かかる携帯型表示装置においては、一時的な貸し出しや紛失等によりその所有者以外の者が使用する場合があり、所有者は秘匿したいデータファイルを暗号化するなどしてメモリに記憶しておくことが一般的である。
【０００４】
そして、この暗号化されたデータファイル（以下、単に「暗号化ファイル」という。）を閲覧する場合には、所定の暗証番号を入力して、この暗証番号による認証が成功した場合にのみ暗号化ファイルを復号化するようにしている（例えば、特許文献１参照）。
【先行技術文献】
【特許文献】
【０００５】
【特許文献１】特開２００６−２３７８８１公報
【発明の概要】
【発明が解決しようとする課題】
【０００６】
ところで、上記のようにメモリに記憶したデータの情報を表示する携帯型表示装置においてはコンピュータ装置と接続可能とされていることが多く、接続ケーブル等によりコンピュータ装置に接続することで、コンピュータ装置でも前記メモリに記憶されたデータファイルを閲覧できる。
【０００７】
ところが、携帯型表示装置にて、所定の暗証番号を入力して暗号化ファイルを閲覧している際に、コンピュータ装置と接続してコンピュータ装置側から携帯型表示装置の暗号化ファイルを閲覧しようとすると、すでに携帯型表示装置に暗証番号を入力したにもかかわらず、再度暗証番号の入力を求められ、使用者に煩わしさを感じさせてしまう。
【０００８】
本発明は、斯かる事情に鑑みてなされたものであって、携帯型表示装置にて所定の暗証番号を入力し暗号化ファイルを閲覧している状態でコンピュータ装置と接続し、当該コンピュータ装置から暗号化ファイルの閲覧を行うに際し、暗証番号の再入力なしにコンピュータ装置上に暗号化ファイルを表示することのできるコンピュータ装置、プログラム、携帯型表示装置及び表示システムを提供する。
【課題を解決するための手段】
【０００９】
上記目的を達成するために、請求項１に係る発明は、メモリに記憶したデータの情報を表示する携帯型表示装置と通信して前記メモリに記憶したデータの情報を表示するコンピュータ装置において、制御部と、表示部と、情報を入力する情報入力部と、前記携帯型表示装置とデータの送受信を行う通信インターフェイスと、暗証番号の情報を記憶するための記憶部と、を備え、前記メモリには、暗号化データを記憶するセキュア領域と、非暗号化データを記憶する非セキュア領域とが形成されており、前記制御部は、前記通信インターフェイスを介して前記携帯型表示装置と接続したとき、前記携帯型表示装置の所定記憶領域に前記暗証番号の情報が記憶されているか否かを判定する第１処理と、前記携帯型表示装置の所定記憶領域に前記暗証番号の情報が記憶されていると判定したとき、前記所定記憶領域から前記暗証番号の情報を読み出して前記記憶部に記憶すると共に前記所定記憶領域に記憶された暗証番号の情報を消去する第２処理と、前記記憶部に記憶した暗証番号の情報に基づいて前記メモリに記憶した暗号化データを復号化する第３処理と、前記第３処理で復号化したデータを前記表示部に表示する第４処理と、を実行することとした。
【００１０】
また、請求項２に係る発明は、請求項１に記載のコンピュータ装置において、前記情報入力部への操作により前記メモリのセキュア領域の閲覧要求があったとき、前記記憶部に暗証番号の情報が記憶されていなければ、前記表示部に暗証番号の入力を促す表示を行う第５処理を実行することに特徴を有する。
【００１１】
また、請求項３に係る発明は、請求項２に記載のコンピュータ装置において、前記情報入力部への操作により前記携帯型表示装置との通信の切断要求があったことを検出すると、前記記憶部に暗証番号の情報が記憶されていれば、前記通信インターフェイスを介して当該記憶部に記憶している暗証番号の情報を前記携帯型表示装置の前記所定記憶領域に記憶する第６処理を実行することに特徴を有する。
【００１２】
また、請求項４に係る発明は、請求項１〜３のいずれか１項に記載の前記コンピュータ装置の制御部に各前記処理を実行させることを特徴とすることを特徴とするプログラムとした。
【００１３】
また、請求項５に係る発明は、メモリに記憶したデータの情報を表示すると共に、外部のコンピュータ装置から前記メモリに記憶したデータの情報を読み出し可能とした携帯型表示装置において、制御部と、表示部と、前記メモリに記憶したデータの読み出しを行うメモリインターフェイスと、前記コンピュータ装置とデータの送受信を行う通信インターフェイスと、情報を入力する情報入力部と、暗証番号の情報を記憶する記憶部と、を備え、前記メモリには、暗号化データを記憶するセキュア領域と、非暗号化データを記憶する非セキュア領域とが形成されており、前記制御部は、前記情報入力部により前記メモリのセキュア領域の閲覧要求があったときに、前記記憶部に前記暗証番号の情報が記憶されていなければ、前記表示部に暗証番号の入力を促す表示を行う第１処理と、前記情報入力部から暗証番号の情報が入力されたとき、当該入力された暗証番号の情報を前記記憶部に記憶する第２処理と、前記情報入力部から入力された暗証番号の情報により前記メモリのセキュア領域に記憶した暗号化データを復号化する第３処理と、前記第３処理で復号化したデータを前記表示部に表示する第４処理と、前記通信インターフェイスを介した前記コンピュータ装置との通信が確立され、その後当該通信が切断されたとき、前記記憶部に暗証番号の情報が記憶されていれば、前記表示部に前記メモリのセキュア領域の暗号化データを表示可能にするか否かを選択させるための選択要求画面を表示する第５処理と、前記表示部に選択要求画面が表示されている状態で、前記情報入力部により前記セキュア領域の暗号化データを表示可能にする選択操作があったとき、前記暗証番号の情報の前記記憶部への記憶を維持し、前記情報入力部により前記セキュア領域の暗号化データを表示可能にしない選択操作があったとき、前記記憶部から前記暗証番号の情報を消去する第６処理と、を実行することとした。
【００１４】
また、請求項６に係る発明は、前記第６処理は、請求項５に記載の携帯型表示装置において、前記表示部に選択要求画面が表示されている状態で、前記情報入力部により前記セキュア領域の暗号化データを表示可能にする選択操作があったとき、前記メモリのセキュア領域に記憶された暗号化データのタイトルリストを前記表示部に表示することに特徴を有する。
【００１５】
また、請求項７に係る発明は、請求項６に記載の携帯型表示装置において、前記暗証番号の情報を記憶する第２記憶部を備え、前記第２処理において、前記情報入力部から入力された暗証番号の情報を前記第２記憶部に記憶し、前記第３処理において、暗号化データの復号化を前記第２記憶部に記憶した暗証番号の情報により行い、前記第５処理において、前記通信インターフェイスを介した前記コンピュータ装置との通信が確立され、その後当該通信が切断されたときに、前記記憶部に前記暗証番号の情報が記憶されていれば、当該暗証番号の情報を前記第２記憶部に記憶すると共に前記記憶部から前記暗証番号の情報を消去するようにしており、さらに、前記通信インターフェイスを介した前記コンピュータ装置との通信が確立されたときに、前記第２記憶部に記憶した暗証番号の情報を消去する第７処理を実行することに特徴を有する。
【００１６】
また、請求項８に係る発明は、メモリに記憶したデータの情報を表示すると共に、外部のコンピュータ装置から前記メモリに記憶したデータの情報を読み出し可能とした携帯型表示装置において、制御部と、表示部と、前記メモリに記憶したデータの読み出しを行うメモリインターフェイスと、前記コンピュータ装置とデータの送受信を行う通信インターフェイスと、情報を入力する情報入力部と、暗証番号の情報を記憶する記憶部と、を備え、前記メモリには、暗号化データを記憶するセキュア領域と、非暗号化データを記憶する非セキュア領域とが形成されており、前記制御部は、前記情報入力部により前記メモリのセキュア領域の閲覧要求があったときに、前記記憶部に前記暗証番号の情報が記憶されていなければ、前記表示部に暗証番号の入力を促す表示を行う第１処理と、前記情報入力部から暗証番号の情報が入力されたとき、当該入力された暗証番号の情報を前記記憶部に記憶する第２処理と、前記情報入力部から入力された暗証番号の情報により前記メモリのセキュア領域に記憶した暗号化データを復号化する第３処理と、前記第３処理で復号化したデータを前記表示部に表示する第４処理と、前記通信インターフェイスを介した前記コンピュータ装置との通信が確立され、その後当該通信が切断されたとき、前記記憶部に暗証番号の情報が記憶されていれば、前記メモリのセキュア領域に記憶した暗号化データを復号化し、当該復号化したデータを前記表示部に表示する第５処理と、を実行することとした。
【００１７】
また、請求項９に係る発明は、メモリに記憶したデータの情報を表示する携帯型表示装置と、当該携帯型表示装置と通信して前記メモリに記憶したデータの情報を表示するコンピュータ装置とを備えた表示システムにおいて、前記メモリには、暗号化データを記憶するセキュア領域と、非暗号化データを記憶する非セキュア領域とが形成されており、前記携帯型表示装置は、制御部と、表示部と、前記メモリに記憶したデータの読み出しを行うメモリインターフェイスと、前記コンピュータ装置とデータの送受信を行う通信インターフェイスと、情報を入力する情報入力部と、暗証番号の情報を記憶する記憶部と、を備え、前記携帯型表示装置の制御部は、前記情報入力部により前記メモリのセキュア領域の閲覧要求があったときに、前記記憶部に前記暗証番号の情報が記憶されていなければ、前記表示部に暗証番号の入力を促す表示を行う第１処理と、前記情報入力部から暗証番号の情報が入力されたとき、当該入力された暗証番号の情報を前記記憶部に記憶する第２処理と、前記情報入力部から入力された暗証番号の情報により前記メモリのセキュア領域に記憶した暗号化データを復号化する第３処理と、前記第３処理で復号化したデータを前記表示部に表示する第４処理と、を実行するものであり、前記コンピュータ装置は、制御部と、表示部と、情報を入力する情報入力部と、前記携帯型表示装置とデータの送受信を行う通信インターフェイスと、暗証番号の情報を記憶するための記憶部と、を備えており、前記コンピュータ装置の制御部は、前記通信インターフェイスを介して前記携帯型表示装置と接続したとき、前記携帯型表示装置の前記記憶部に前記暗証番号の情報が記憶されているか否かを判定する第１処理と、前記携帯型表示装置の前記記憶部に前記暗証番号の情報が記憶されていると判定したとき、前記携帯型表示装置の前記記憶部から前記暗証番号の情報を読み出して前記記憶部に記憶すると共に前記携帯型表示装置の前記記憶部に記憶された暗証番号の情報を消去する第２処理と、前記記憶部に記憶した暗証番号の情報に含まれる暗証番号の情報に基づいて前記メモリに記憶した暗号化データを復号化する第３処理と、前記第３処理で復号化したデータを前記表示部に表示する第４処理と、を実行することとした。
【発明の効果】
【００１８】
本発明に係るコンピュータ装置、プログラム、携帯型表示装置及び表示システムによれば、携帯型表示装置にて所定の暗証番号を入力し暗号化ファイルを閲覧している状態でコンピュータ装置と接続し、コンピュータ装置から暗号化ファイルの閲覧を行うに際し、暗証番号の再入力なしにコンピュータ装置上に暗号化ファイルを表示することができる。
【図面の簡単な説明】
【００１９】
【図１】携帯型表示装置の外観を示す説明図である。
【図２】フォルダ及びデータファイルの階層状態を示す説明図である。
【図３】ドキュメントファイルのデータ構造を示す説明図である。
【図４】フォルダファイルのデータ構造を示す説明図である。
【図５】メモリカード内のファイルの階層構造を携帯型表示装置にて表示させた状態を示す説明図である。
【図６】携帯型表示装置とコンピュータ装置とを接続した状態における動作の説明図である。
【図７】携帯型表示装置とコンピュータ装置とを接続した状態における電気的構成を示したブロック図である。
【図８】本実施形態における処理過程を示した説明図である。
【図９】本実施形態における処理過程を示した説明図である。
【発明を実施するための形態】
【００２０】
以下、本発明の一実施形態を図面を参照しながら説明する。
【００２１】
〔本実施形態の概要〕
まず、図１〜図３を参照しながら、本実施形態の概要について説明する。
【００２２】
図１に示すように、携帯型表示装置１は、平面視方形状で薄型の装置であり、その正面には、表示手段として略Ａ４サイズの大きさの表示部２が設けられている。この表示部２は、例えば電気泳動表示パネルや液晶パネル（ＬＣＤ）などで構成することができる。
【００２３】
この表示部２の右側には、携帯型表示装置１の状態を示すＬＥＤ３と、各種操作に使用する操作ボタン４とが配置されている。すなわち、電源ボタン５ａ、メニューボタン５ｂ、ドキュメント閉じるボタン５ｃ、拡大ボタン５ｄ、ページ送りボタン５ｆ，５ｇ，領域選択ボタン６（６ａ〜６ｍ）が操作ボタン４として配設されている。
【００２４】
そして、携帯型表示装置１のユーザは、操作ボタン４を操作して表示部２に表示するデータファイルの選択、表示、作成などを行うことができる。本実施形態において、携帯型表示装置１で扱うことができる「データファイル」として、文字や図形などからなるドキュメントを表示させるためのデータファイル（以下、「ドキュメントファイル」と呼ぶ。）、写真、ＣＧなどのグラフィック画像を表示させるためのデータファイルなどがあるが、これに限られるものではない。なお、以下においては、説明を容易にするためにデータファイルとしてドキュメントファイルを例に挙げて説明することとする。
【００２５】
携帯型表示装置１の右側面には、メモリカード８を挿入するためのメモリインターフェイス（Ｉ／Ｆ）１０６が設けられている。この携帯型表示装置１では、メモリカード８に記憶されているドキュメントファイルなどをメモリカードＩ／Ｆ１０６を介して読み込んで表示部２に表示させることができる。
【００２６】
メモリカード８には、例えば、トップフォルダを頂点として図２に示すような階層構造でドキュメントファイル及びフォルダの情報ファイル（以下、「フォルダファイル」と呼ぶ。）が記憶されており、一部のフォルダ（セキュリティフォルダ）及びそのフォルダ内のドキュメントファイル（ドキュメント２と３）にはセキュリティ設定がされている。
【００２７】
ドキュメントファイルには、例えば図３に示すように、プロパティ情報ファイル（図３（ａ）参照）と、データ本体ファイル（図３（ｂ）参照）とで構成されている。プロパティ情報ファイルには、ファイルＩＤであるドキュメントＩＤ、セキュリティ設定の有無の情報（以下、「セキュリティ設定情報」と呼ぶ。）、タイトル情報などの情報を有するプロパティ情報などが含まれている。なお、セキュリティ設定がされているドキュメントファイルは、ドキュメントＩＤを除き、暗号化されてメモリカード８に記憶されている。なお、暗号化の方式として、例えばＤＥＳやＩＤＥＡなどを用いることができる。
【００２８】
一方、フォルダファイルはフォルダ毎に一つあり、図４に示すようなデータ構造を有している。例えば、図２に示したトップフォルダを例示すると、図４（ａ）に示すように、フォルダを識別するためのフォルダＩＤに加え、当該フォルダに含まれるドキュメントファイルを識別するためのドキュメントＩＤやフォルダファイルを識別するためのフォルダＩＤなどが含まれている。
【００２９】
また、このトップフォルダ内のセキュリティフォルダには、図４（ｂ）に示すように、当該セキュリティフォルダに含まれるドキュメントファイルを識別するためのドキュメントＩＤなどが含まれている。また、セキュリティフォルダ内のドキュメントファイルやフォルダファイルは全て暗号化された暗号化ファイルとなっている。なお、メモリカード８の記憶領域のうち、セキュリティフォルダのようにセキュリティ設定がなされているデータファイルを記憶する領域をセキュア領域といい、セキュリティ設定がなされていないデータファイルを記憶する領域を非セキュア領域という。
【００３０】
これらのフォルダファイルは、そのフォルダに含まれるドキュメントファイルやフォルダファイルのそれぞれのタイトル情報を一覧としたタイトルリスト（フォルダ内タイトルリスト）を表示する際には、リスト情報として機能することになる。
【００３１】
すなわち、メモリカード８内のファイルの階層構造を携帯型表示装置１の表示部２上で表示すると、例えば図５（ａ）に示すように、トップフォルダに含まれるドキュメントファイルやフォルダファイルのタイトルリストが示されることとなる。
【００３２】
このセキュリティフォルダの閲覧は、領域選択ボタン６の「２」（領域選択ボタン６ｄ）の押下によって行うことができ、この領域選択ボタン６ｄを押下すると、図５（ｂ）に示すように、暗証番号（暗証番号）の入力が求められる。
【００３３】
このとき、各領域選択ボタン６ａ〜６ｍは、暗証番号を入力するためのキーボードとして機能し、この領域選択ボタン６ａ〜６ｍへの操作で暗証番号を入力して認証が成功すると、図５（ｃ）に示すように、セキュリティフォルダに含まれるドキュメントファイルのタイトルが復号化されて表示されることとなる。なお、この際、携帯型表示装置１内には、入力された暗証番号に基づいて、暗証番号の情報を含む暗証番号ファイルが生成される。その後、領域選択ボタン６への操作等により、セキュリティフォルダに含まれるドキュメントファイルが選択されると、このように選択されたドキュメントファイルのドキュメントデータ本体等が上記入力された暗証番号に基づいて復号化されて表示される。
【００３４】
このようにセキュリティフォルダが選択されている状況において、図６（ａ）に示すように、携帯型表示装置１とコンピュータ装置１１とを、接続ケーブル１２にて通信可能に接続する。
【００３５】
このとき、携帯型表示装置１の表示部２には、コンピュータ装置１１と通信中である旨が表示され、操作ボタン４への各種入力操作は無効な状態となる一方、コンピュータ装置１１のディスプレイ１３には、携帯型表示装置１に装着したメモリカード８内のデータファイルを閲覧するためのソフトウェア（ここでは、「表示装置データビューア」というソフトウェア）により、例えば、トップフォルダの直下位のドキュメントファイルやフォルダファイルのタイトル表示がなされる。
【００３６】
コンピュータ装置１１では、メモリカード８内のデータファイルをフォルダファイルのデータに従ってディレクトリと称される階層構造で表示部２に表示することができ、この階層構造を表示しつつドキュメントファイルが選択されると当該選択されたドキュメントファイルに含まれる情報（ドキュメントデータ本体等）を表示部２に表示する。
【００３７】
コンピュータ装置１１からメモリカード８内における階層構造の閲覧中に、暗号化ファイル（すなわち、暗号化されたフォルダファイルやドキュメントファイル）を開こうとすると、従来であれば、図６（ｂ）にも示すように、再度暗証番号の入力が必要となる。
【００３８】
それゆえ、既に携帯型表示装置１にて暗号化ファイルを閲覧するために暗証番号を入力しているにもかかわらず、再度コンピュータ装置から暗証番号を入力しなければならないという状態となり、使用者に煩わしさを感じさせる場合があった。
【００３９】
一方、本発明によれば、既に携帯型表示装置１で暗証番号の入力を行い、セキュリティフォルダ又は同セキュリティフォルダの直下位ディレクトリを閲覧している状態である場合には、図６（ｃ）に示すように、暗証番号の再入力を行うことなく、接続したコンピュータ装置から暗号化ファイルを閲覧可能とするものである。
【００４０】
具体的には、コンピュータ装置１１は、携帯型表示装置１内で生成された暗証番号ファイルを取得し、この取得した暗証番号ファイルに基づいて、暗号化ファイルの復号化を行うこととしている。
【００４１】
これにより使用者は、暗証番号を再び入力する手間を省くことができ、使用者が煩わしさを感じてしまうことを可及的に防止することができる。
【００４２】
〔具体的な構成〕
次に、本実施形態における具体的な構成について更に詳述する。
【００４３】
図７は、携帯型表示装置１とコンピュータ装置１１とを接続した状態における電気的構成を示したブロック図である。図７に示すように携帯型表示装置１は、ＣＰＵ１００と、ＲＯＭ１０１と、ＲＡＭ１０２と、ＥＥＰＲＯＭ１０３と、キー入力インターフェイス（以下、「キー入力Ｉ／Ｆ」と略す）１０４と、表示コントローラ１０５と、メモリインターフェイス（以下、「メモリカードＩ／Ｆ」と略す）１０６と、通信インターフェイス（以下、「通信Ｉ／Ｆ」と略す）１０７とを備えており、システムバス１０８を介して相互に接続されている。
【００４４】
ＲＯＭ１０１には、ＣＰＵ１００で実行されることにより、後述する各処理を実現するためのプログラムが記憶されている。
【００４５】
ＲＡＭ１０２は、ＣＰＵ１００にて参照される各種フラグや画像データなどの一時記憶領域として機能する。なお、上述のＣＰＵ１００と、ＲＯＭ１０１と、ＲＡＭ１０２とで、携帯型表示装置１の制御部１０９を構成している。
【００４６】
ＥＥＰＲＯＭ１０３は、電気的に消去可能なＰＲＯＭ（Electrically Erasable Programmable ROM）であり、暗証番号ファイルをコンピュータ装置１１により取得したり、書き込むことが可能な状態で記憶する記憶部として機能するものである。
【００４７】
キー入力Ｉ／Ｆ１０４は、操作ボタン４との接続を担うものであり、入力操作により操作ボタン４から出力される信号に基づいて、所定のキーからの入力があった旨をＲＡＭ１０２に書き込む役割を担っている。なお、本実施形態では、このキー入力Ｉ／Ｆ１０４と、操作ボタン４とで、情報を入力する情報入力部１１０として機能する。
【００４８】
表示コントローラ１０５は、表示部２との接続を担うものであり、ＣＰＵ１００からの命令に従って、表示部２への画面表示の制御を行う。
【００４９】
メモリカードＩ／Ｆ１０６は、メモリカード８との接続を担うものであり、ＣＰＵ１００からの命令や通信Ｉ／Ｆ１０７を介したコンピュータ装置１１からの命令に従って、メモリカード８のデータの読み書きを行う。
【００５０】
通信Ｉ／Ｆ１０７は、外部接続機器、特に本実施形態ではコンピュータ装置１１との接続を担うものであり、接続ケーブル１２を用いて携帯型表示装置１とコンピュータ装置１１とを接続することにより通信可能としている。
【００５１】
一方、コンピュータ装置１１は、ＣＰＵ２００と、ＲＯＭ２０１と、ＲＡＭ２０２と、通信Ｉ／Ｆ２０３と、情報入力インターフェイス（以下、「情報入力Ｉ／Ｆ」と略す）２０４と、表示コントローラ２０５と、ハードディスクドライブ（以下、「ＨＤＤ」と略す）２０６とを備えており、システムバス２０７を介して相互に接続されている。
【００５２】
ＲＯＭ２０１には、コンピュータ装置１１を起動するのに必要な各種機器類の情報やプログラム等が記憶されている。
【００５３】
ＲＡＭ２０２は、ＣＰＵ２００にて参照される各種フラグや画像データなどの一時記憶領域として機能する。なお、上述のＣＰＵ２００と、ＲＯＭ２０１と、ＲＡＭ２０２とで、コンピュータ装置１１の制御部２０８を構成している。
【００５４】
通信Ｉ／Ｆ２０３は、外部接続機器、特に本実施形態では携帯型表示装置１との接続を担うものであり、接続ケーブル１２を用いて携帯型表示装置１の通信Ｉ／Ｆ１０７と接続することにより通信可能としている。
【００５５】
情報入力Ｉ／Ｆ２０４は、マウス２０９やキーボード２１０との接続を担うものであり、入力操作によりマウス２０９やキーボード２１０から出力される信号に基づいて、所定の入力機器からの入力があった旨をＲＡＭ１０２に書き込む役割を担っている。なお、本実施形態では、この情報入力Ｉ／Ｆ２０４と、マウス２０９及びキーボード２１０とで、情報を入力する情報入力部２１１として機能する。
【００５６】
表示コントローラ２０５は、ディスプレイ１３との接続を担うものであり、ＣＰＵ２００からの命令に従って、ディスプレイ１３への画面表示の制御を行う。なお、本実施形態では、この表示コントローラ２０５と、ディスプレイとで表示部２１２を構成している。
【００５７】
ＨＤＤ２０６は、大容量の記録媒体として機能するものであり、ＣＰＵ２００で実行されることにより、後述する各処理を実現するためのソフトウェア、具体的には、前述の表示装置データビューアのプログラム等が記憶されている
【００５８】
〔携帯型表示装置及びコンピュータ装置の処理過程〕
次に、携帯型表示装置１とコンピュータ装置１１とで実行される処理について、図８及び図９を用いて説明する。図８及び図９は、本実施形態における処理過程を示した説明図である。なお、図８及び図９では、携帯型表示装置１とコンピュータ装置１１との双方の処理を分かりやすくするために、各装置で実行される処理を並記して説明する。また、図８及び図９は、説明を容易とするために処理過程を示したものであり、必ずしも携帯型表示装置１やコンピュータ装置１１が実行するものではなく、ユーザが実行する過程についても記載している。
【００５９】
まず、携帯型表示装置１にて、ユーザによる情報入力部１１０への操作によりセキュリティフォルダを閲覧する操作が行われる（セキュリティフォルダ内のタイトルリストの表示を行う）と、携帯型表示装置１のＣＰＵ１００は、携帯型表示装置１の表示部２に、ユーザに対して暗証番号の入力を促すメッセージを表示する（ステップＳ１１）。なお、この処理は、情報入力部１１０によりメモリカード８のセキュアフォルダの閲覧要求があったときに、ＲＡＭ１０２に暗証番号の情報が記憶されてなければ、表示部２１２に暗証番号の入力を促す表示を行う携帯型表示装置１の第１処理であり、ＲＡＭ１０２に暗証番号の情報が記憶されていれば、表示部２１２に暗証番号の入力を促す表示は行われない。
【００６０】
次いで、ＣＰＵ１００は、ユーザが操作ボタン４により入力する暗証番号を受け付ける処理を行い（ステップＳ１２）、入力された暗証番号を情報として有する暗証番号ファイルを生成し、ＥＥＰＲＯＭ１０３に保存する（ステップＳ１３）。このステップＳ１３は、情報入力部１１０から暗証番号の情報が入力されたとき、当該入力された暗証番号の情報を記憶部（ＥＥＰＲＯＭ１０３）に記憶する携帯型表示装置１の第２処理である。
【００６１】
次に、ＣＰＵ１００は、ＥＥＰＲＯＭ１０３の暗証番号ファイルを参照してＲＡＭ１０２に暗証番号の情報を記憶し、この暗証番号に基づいて暗号化ファイルの復号化処理を実行する（ステップＳ１４）。このステップＳ１４は、情報入力部１１０から入力された暗証番号の情報によりメモリカード８のセキュアフォルダに記憶した暗号化データを復号化する携帯型表示装置１の第３処理である。なお、ＲＡＭ１０２に書き込まれる暗証番号の情報は、ユーザによる情報入力部１１０への操作によりセキュアフォルダ内のドキュメントファイルやフォルダファイルの閲覧を継続する場合にＣＰＵ１００により用いられるものであり、ユーザによる情報入力部１１０への操作により一旦セキュアフォルダ以外のドキュメントファイルやフォルダファイルの閲覧が行われると、ＲＡＭ１０２に記憶した暗証番号の情報はＣＰＵ１００により消去される。
【００６２】
ステップＳ１４において復号化処理を行った後、ＣＰＵ１００は、復号化された暗号化ファイルに含まれる情報を、表示部２に表示する（ステップＳ１５）。なお、このステップＳ１５において、ユーザにより選択されたセキュリティファイルがフォルダファイルである場合には、タイトルリストの表示を行い、ドキュメントファイルである場合には、そのドキュメントファイルに含まれる情報の表示を行う。このステップＳ１５は、前記第３処理で復号化したデータを表示部２に表示する携帯型表示装置１の第４処理である。
【００６３】
そして、ユーザにより、携帯型表示装置１とコンピュータ装置１１とを接続ケーブル１２にて接続する作業を行う（ステップＳ１６）。
【００６４】
このステップＳ１６にてユーザにより、携帯型表示装置１に接続ケーブル１２が接続されると、携帯型表示装置１は接続ケーブル１２が接続されたことを検知して、ＲＡＭ１０２に記憶している暗証番号の消去を行う（ステップＳ１７）。このステップＳ１７は、通信インターフェイス１０７を介したコンピュータ装置１１との通信が確立されたときに、第２記憶部としてのＲＡＭ１０２に記憶した暗証番号の情報を消去する携帯型表示装置１の第７処理である。
【００６５】
次に、処理の説明をコンピュータ装置１１に移すと、まず、ユーザは、コンピュータ装置１１と携帯型表示装置１との接続ケーブル１２による接続が確立されたのを確認すると、前述の表示装置データビューアを起動し、ユーザによる表示装置データビューアの起動処理が行われると、コンピュータ装置１１のＣＰＵ２００は、ＨＤＤ２０６から表示装置データビューアのプログラムを読み出して実行する。これにより携帯型表示装置１とコンピュータ装置１１との間で接続ケーブル１２を介した通信を確立し、以下の各種処理をコンピュータ装置１１に実行させる（ステップＳ２０）。
【００６６】
まず、コンピュータ装置１１のＣＰＵ２００は、ユーザによる情報入力部２１１への操作によりセキュア領域であるセキュアフォルダの閲覧請求があるか否かについて判断を行う（ステップＳ２９）。ここでＣＰＵ２００が、セキュアフォルダの閲覧請求がないと判断した場合（ステップＳ２９：Ｎｏ）には、ユーザの操作に基づいて各種処理を実行する。一方、ＣＰＵ２００が、セキュアフォルダの閲覧請求があると判断した場合（ステップＳ２９：Ｙｅｓ）には、処理をステップＳ２１へ移す。
【００６７】
次にＣＰＵ２００は、携帯型表示装置１と通信して、携帯型表示装置１のＥＥＰＲＯＭ１０３内部の暗証番号ファイルの検索を行う（ステップＳ２１）。
【００６８】
そして、ＣＰＵ２００は、携帯型表示装置１のＥＥＰＲＯＭ１０３内に暗証番号ファイルがあるか否かについて判断を行う（ステップＳ２２）。このステップＳ２２は、通信インターフェイス２０３を介して携帯型表示装置１と接続したとき、携帯型表示装置１のＥＥＰＲＯＭ１０３に暗証番号の情報が記憶されているか否かを判定するコンピュータ装置１１の第１処理である。
【００６９】
ここでＣＰＵ２００が、ＥＥＰＲＯＭ１０３内に暗証番号ファイルがあると判断した場合（ステップＳ２２：Ｙｅｓ）には、処理をステップＳ２３へ移す。一方、ＣＰＵ２００が、ＥＥＰＲＯＭ１０３内に暗証番号ファイルがないと判断した場合（ステップＳ２２：Ｎｏ）には、表示部２１２に暗証番号の入力を促すメッセージを表示し（ステップＳ２７）、ユーザが情報入力部２１１により入力する暗証番号を受け付ける処理を行う（ステップＳ２８）。なお、前述のステップＳ２２とステップＳ２７とステップＳ２８とは、情報入力部２１１への操作によりメモリカード８のセキュアフォルダの閲覧要求があったとき、ＲＡＭ２０２に暗証番号の情報が記憶されていなければ、表示部２１２に暗証番号の入力を促す表示を行うコンピュータ装置１１の第５処理である。
【００７０】
ステップＳ２３においてＣＰＵ２００は、暗証番号ファイルを携帯型表示装置１のＥＥＰＲＯＭ１０３から読み出して、暗証番号ファイルに含まれる暗証番号の情報をコンピュータ装置１１のＲＡＭ２０２に記憶し、続いて、携帯型表示装置１のＥＥＰＲＯＭ１０３に記憶されている暗証番号ファイルを消去する（ステップＳ２４）。このステップＳ２３及びステップＳ２４は、携帯型表示装置１のＥＥＰＲＯＭ１０３に暗証番号の情報が記憶されていると判定したとき、ＥＥＰＲＯＭ１０３から暗証番号の情報を読み出してＲＡＭ２０２に記憶すると共にＥＥＰＲＯＭ１０３に記憶された暗証番号の情報を消去するコンピュータ装置１１の第２処理である。
【００７１】
次にコンピュータ装置１１のＣＰＵ２００は、暗号化ファイルの復号化を行い（ステップＳ２５）、復号化された暗号化ファイルの情報をディスプレイ１３に表示する（ステップＳ２６）。ステップＳ２５は、ＲＡＭ２０２に記憶した暗証番号の情報に基づいてメモリカード８に記憶した暗号化データを復号化するコンピュータ装置１１の第３処理であり、ステップＳ２６は、前記第３処理で復号化したデータを表示部２１２に表示するコンピュータ装置１１第４処理である。なお、ステップＳ２５，Ｓ２６で復号化されて表示される暗号化ファイルはセキュリティフォルダのフォルダファイルであり、このセキュリティフォルダに含まれるドキュメントファイルやフォルダファイルのタイトルリストが表示部２１２に表示されることになる。そして、その後は、ＲＡＭ２０２に記憶した暗証番号の情報に基づき、ＣＰＵ２００は、ユーザによる情報入力部２１１への操作によりメモリカード８に記憶したセキュアフォルダ内のドキュメントファイルやフォルダファイルを復号化して表示部２に表示することとなる。なお、ステップＳ２９において、セキュリティフォルダ内のドキュメントファイルの閲覧を個別に閲覧請求することができるようにしてもよい。
【００７２】
以上のように、携帯型表示装置１でセキュア領域であるセキュリティフォルダを開いている状態で、携帯型表示装置１にコンピュータ装置１１を接続したとき、コンピュータ装置１１において暗証番号を入力することなく、セキュリティフォルダ内の情報を閲覧可能としている。
【００７３】
次に、携帯型表示装置１とコンピュータ装置１１との接続を終了する場合での処理について図９を参照しながら説明する。
【００７４】
図９に示すように、まず、コンピュータ装置１１で表示装置データビューアのプログラムを実行している状態で、ユーザによる情報入力部２１１への操作により携帯型表示装置１との接続終了の操作が行われると（ステップＳ３０）、ＣＰＵ２００は、コンピュータ装置１１のＲＡＭ２０２に記憶していた暗証番号ファイルを、通信Ｉ／Ｆ２０３を介して携帯型表示装置１のＥＥＰＲＯＭ１０３に保存する（ステップＳ３１）。なお、ＲＡＭ２０２に暗証番号ファイルが記憶されていなければかかる処理は行わない。例えば、セキュアフォルダ内の閲覧状態でない携帯型表示装置１がコンピュータ装置１１に接続され、その後もコンピュータ装置１１でセキュアフォルダ内の閲覧が行われないときには、ＲＡＭ２０２に暗証番号ファイルが記憶されていない状態となり、ステップＳ３１及び以下のステップＳ３２の処理は行われない。このステップＳ３０及びステップＳ３１は、情報入力部２１１への操作により携帯型表示装置１との通信の切断要求があったことを検出すると、ＲＡＭ２０２に暗証番号の情報が記憶されていれば、通信インターフェイス２０３を介してＲＡＭ２０２に記憶している暗証番号の情報を携帯型表示装置１のＥＥＰＲＯＭ１０３に記憶するコンピュータ装置１１の第６処理である。
【００７５】
次に、ＣＰＵ２００は、コンピュータ装置１１のＲＡＭ２０２内に記憶していた暗証番号ファイルの消去を行い（ステップＳ３２）、ソフトウェア（表示装置データビューアのプログラムにより実行される処理）による携帯型表示装置１とコンピュータ装置１１との通信を終了する（ステップＳ３３）。また、このとき、任意でソフトウェアを終了させる場合もある。
【００７６】
続いて、ユーザにより携帯型表示装置１とコンピュータ装置１１とを接続していた接続ケーブル１２が取り外されて、個々に独立した状態となる。
【００７７】
携帯型表示装置１のＣＰＵ１００は、接続ケーブル１２が取り外されてコンピュータ装置１１との通信が終了したと判断すると、ＥＥＰＲＯＭ１０３内に暗証番号ファイルが存在するか検索を実行する（ステップＳ４０）。
【００７８】
そして、ＣＰＵ１００は、ＥＥＰＲＯＭ１０３内に暗証番号ファイルがあるか否かについて判断を行う（ステップＳ４１）。すなわち、コンピュータ装置１１での表示装置データビューアの実行終了の際に、コンピュータ装置１１から暗証番号ファイルがＥＥＰＲＯＭ１０３に記憶されたか否かを判断する。ここでＣＰＵ１００が、ＥＥＰＲＯＭ１０３内に暗証番号ファイルがないと判断した場合（ステップＳ４１：Ｎｏ）には、暗号化ファイルの閲覧は別途暗証番号の入力がなければ不可能な状態で、ユーザの操作に基づいて各種処理を実行する。
【００７９】
一方、ＣＰＵ１００が、ＥＥＰＲＯＭ１０３内に暗証番号ファイルがあると判断した場合（ステップＳ４１：Ｙｅｓ）には、ＣＰＵ１００は、暗号化データの表示が可能な状態を維持するか否かについてユーザに対し問い合わせるメッセージを表示し（ステップＳ４２）、ユーザからの情報入力Ｉ／Ｆ２０４への入力を待つ。なお、前述のステップＳ４０，Ｓ４１及び本ステップＳ４２とは、通信Ｉ／Ｆ１０７を介したコンピュータ装置１１との通信が確立され、その後当該通信が切断されたとき、ＥＥＰＲＯＭ１０３に暗証番号の情報が記憶されていれば、表示部２にメモリカード８のセキュアフォルダの暗号化データを表示可能にするか否かを選択させるための選択要求画面を表示する携帯型表示装置１の第５処理である。
【００８０】
次にＣＰＵ１００は、ユーザからの情報入力Ｉ／Ｆ２０４への入力が、維持する旨の入力であるか否かについて判断を行う（ステップＳ４３）。ここでＣＰＵ１００が、ユーザによる入力が維持する旨の入力ではないと判断した場合、すなわち、維持しない旨の入力であったと判断した場合には、ＣＰＵ１００は、処理をステップＳ４８へ移す。
【００８１】
ステップＳ４８において、ＣＰＵ１００は、ＥＥＰＲＯＭ１０３に保存している暗証番号ファイルを削除し（ステップＳ４８）、表示部２にデフォルトで設定されている階層のフォルダファイル（例えば、トップフォルダのフォルダファイルに含まれるフォルダファイル）のタイトルを表示（タイトルリストを表示）し（ステップＳ４９）、その後は、ユーザの情報入力Ｉ／Ｆ２０４への操作に基づき各種処理を実行する。
【００８２】
一方、ステップＳ４３において、ＣＰＵ１００が、維持する旨の入力であると判断した場合（ステップＳ４３：Ｙｅｓ）には、ＣＰＵ１００は、処理をステップＳ４４へ移す。
【００８３】
ステップＳ４４においてＣＰＵ１００は、ＥＥＰＲＯＭ１０３に記憶している暗証番号ファイルから暗証番号の情報を取得して、ＲＡＭ１０２に記憶する（ステップＳ４４）。なお、前述のステップＳ４３,Ｓ４８及び本ステップＳ４４は、表示部２に選択要求画面が表示されている状態で、情報入力部１１０によりセキュアフォルダの暗号化データを表示可能にする選択操作があったとき、暗証番号の情報の記憶部への記憶を維持（ただし、ＥＥＰＲＯＭ１０３からＲＡＭ１０２への情報の移動はある）し、情報入力部１１０によりセキュアフォルダの暗号化データを表示可能にしない選択操作があったとき、ＥＥＰＲＯＭ１０３から暗証番号の情報を消去する携帯型表示装置１の第６処理である。
【００８４】
次に、ＣＰＵ１００は、ＥＥＰＲＯＭ１０３に記憶していた暗証番号ファイルの削除を行う（ステップＳ４５）。
【００８５】
次にＣＰＵ１００は、暗号化ファイルの復号化を行い（ステップＳ４６）、復号化された暗号化ファイルのうち、最も浅い階層のフォルダファイル（ここでは、セキュアフォルダのフォルダファイル）を表示部２に表示する（ステップＳ４７）。そして、その後は、ユーザの操作に基づき、各種処理を実行することとなる。
【００８６】
なお、上述においては、携帯型表示装置１のメモリカードＩ／Ｆ１０６に装着されたメモリカード８にセキュアフォルダと非セキュアフォルダなどが記憶されていることとして説明したが、携帯型表示装置１内のＥＥＰＲＯＭにセキュアフォルダと非セキュアフォルダなどが記憶した場合でも上記同様の処理を実行可能である。
【００８７】
また、上述においては、セキュアフォルダを中心として説明したがこれに限られるものではなく、非セキュアフォルダ内に暗号化されたドキュメントファイルがある場合に、かかるドキュメントファイルの閲覧についても同様の処理を実行可能である。すなわち、セキュア領域の暗号化ファイルにアクセスする際には、上記セキュアフォルダへのアクセスと同様の処理を行うことができる。
【００８８】
このように本実施形態に係る表示システムでは、暗証番号が入力されてセキュア領域内が閲覧状態となっている携帯型表示装置１にコンピュータ装置１１を接続したときには、コンピュータ装置１１が携帯型表示装置１から暗証番号の情報を取得する。従って、ユーザは再度暗証番号を入力することなくコンピュータ装置１１でセキュア領域内のデータファイルを閲覧することができる。
【００８９】
さらに、この状態からコンピュータ装置１１と携帯型表示装置１との間の通信が終了したとき、コンピュータ装置１１から携帯型表示装置１へ暗証番号の情報が送信される。従って、ユーザは暗証番号の情報を入力することなく、セキュア領域内のデータファイルの情報を閲覧することが可能となる。
【００９０】
しかも、コンピュータ装置１１と携帯型表示装置１との間の通信を終了したときに、表示部２に選択要求画面を表示して、携帯型表示装置１にセキュア領域内の情報の閲覧をするか否かの情報を選択させ、セキュア領域内の情報の閲覧をしない選択をした場合には、暗証番号の情報が消去される。従って、セキュア領域内のデータファイルの情報を閲覧しない場合には、再度の暗証番号の入力なしにはセキュア領域内の情報を閲覧ができなくなり、セキュリティ設定を容易に行うことができ、一方でセキュア領域内のデータファイルの情報を閲覧する場合には再度の暗証番号の入力なしセキュア領域内の情報を閲覧することができ暗証番号の入力の煩わしさを軽減することができる。
【００９１】
なお、上述の実施形態においては、携帯型表示装置１において、コンピュータ装置１１との通信が切断されたとき、暗証番号の情報が記憶されていれば、選択要求画面を表示し、ユーザに選択させる処理（ステップＳ４１〜Ｓ４７）を実行するようにしたが、ユーザの情報入力部１１０への操作により異なる処理を実行するように設定することもできる。すなわち、ステップＳ４１〜Ｓ４３を実行させることなく、選択要求画面を表示することなく、メモリカード８のセキュアフォルダに記憶した暗号化データを復号化し、当該復号化したデータを表示部２に表示することができる（ステップＳ４４〜Ｓ４７の処理）。
【００９２】
このようにすることで、ユーザは、選択要求画面における選択操作を行うことなく、セキュアフォルダ内の情報を表示部２に表示することが可能となり、入力操作の煩雑さを軽減することができる。
【００９３】
また、本実施形態では、図３〜図５に示したように、復号化前のフォルダ名と復号化後のフォルダ名とを、同じ「セキュリティフォルダ」と表示することとしたが、例えば、第三者により名称に基づいて内容が類推されるのを防ぐため、復号化前の画面上の表示では「セキュリティフォルダ」と表示し、復号化後には、別の具体的なフォルダ名を表示するように構成しても良い。
【００９４】
上述してきたように、本実施形態に示したコンピュータ装置、プログラム、携帯型表示装置及び表示システムによれば、以下の効果が期待できる。
【００９５】
（１）本実施形態に係るコンピュータ装置１１によれば、メモリカード８（メモリ）に記憶したデータの情報を表示する携帯型表示装置１と通信してメモリカード８に記憶したデータの情報を表示するコンピュータ装置１１において、制御部２０８と、表示部２１２と、情報を入力する情報入力部２１１と、携帯型表示装置１とデータの送受信を行う通信インターフェイス２０３と、暗証番号の情報を記憶するためのＲＡＭ２０２（記憶部）と、を備え、メモリカード８には、暗号化データを記憶するセキュアフォルダ（セキュア領域）と、非暗号化データを記憶する非セキュアフォルダ（非セキュア領域）とが形成されており、制御部２０８は、通信インターフェイス２０３を介して携帯型表示装置１と接続したとき、携帯型表示装置１のＥＥＰＲＯＭ１０３（所定記憶領域）に暗証番号の情報が記憶されているか否かを判定する第１処理（ステップＳ２２の処理）と、携帯型表示装置１のＥＥＰＲＯＭ１０３に暗証番号の情報が記憶されていると判定したとき、ＥＥＰＲＯＭ１０３から暗証番号の情報を読み出してＲＡＭ２０２（記憶部）に記憶すると共にＥＥＰＲＯＭ１０３に記憶された暗証番号の情報を消去する第２処理（ステップＳ２３，Ｓ２４の処理）と、ＲＡＭ２０２に記憶した暗証番号の情報に基づいてメモリカード８に記憶した暗号化データを復号化する第３処理（ステップＳ２５の処理）と、第３処理（ステップＳ２５の処理）で復号化したデータを表示部２１２に表示する第４処理（ステップＳ２６の処理）と、を実行することとしたため、携帯型表示装置１にて所定の暗証番号を入力し暗号化ファイルを閲覧（セキュア領域を閲覧）している場合に、コンピュータ装置１１と接続してコンピュータ装置１１から暗号化ファイルの閲覧を行うに際し、暗証番号の再入力なしにコンピュータ装置１１上に暗号化ファイルを表示することができる。
【００９６】
（２）情報入力部２１１への操作によりメモリカード８（メモリ）のセキュアホルダ（セキュア領域）の閲覧要求があったとき、ＲＡＭ２０２（記憶部）に暗証番号の情報が記憶されていなければ、表示部２１２に暗証番号の入力を促す表示を行う第５処理（ステップＳ２２,Ｓ２７,Ｓ２８の処理）を実行することとしたため、コンピュータ装置１１を、暗証番号ファイルが記憶されていない状態の携帯型表示装置１と接続しても、コンピュータ装置１１から暗証番号を入力することにより、コンピュータ装置１１上でセキュア領域を閲覧することができる。
【００９７】
（３）情報入力部２１１への操作により携帯型表示装置１との通信の切断要求があったことを検出すると、ＲＡＭ２０２（記憶部）に暗証番号の情報が記憶されていれば、通信インターフェイス２０３を介してＲＡＭ２０２に記憶している暗証番号の情報を携帯型表示装置１のＥＥＰＲＯＭ１０３（所定記憶領域）に記憶する第６処理（ステップＳ３０，Ｓ３１の処理）を実行することとしたため、携帯型表示装置１とコンピュータ装置１１との通信を切断した後であっても、再度暗証番号を入力することなく、携帯型表示装置１にてセキュア領域の暗号化ファイルを閲覧することができる。
【００９８】
（４）また、本実施形態に示したプログラムによれば、請求項１〜３のいずれか１項に記載の前記コンピュータ装置１１の制御部２０８に各前記処理を実行させることとしたため、複数のコンピュータ装置１１に上述と同様の効果を生起させることができる。
【００９９】
（５）また、本実施形態に示した携帯型表示装置１によれば、メモリカード８（メモリ）に記憶したデータの情報を表示すると共に、外部のコンピュータ装置１１からメモリカード８に記憶したデータの情報を読み出し可能とした携帯型表示装置１において、制御部１０９と、表示部２と、メモリカード８に記憶したデータの読み出しを行うメモリインターフェイス１０６と、コンピュータ装置１１とデータの送受信を行う通信インターフェイス１０７と、情報を入力する情報入力部１１０と、暗証番号の情報を記憶するＥＥＰＲＯＭ１０３及び／又はＲＡＭ１０２（記憶部）と、を備え、メモリカード８には、暗号化データを記憶するセキュアフォルダ（セキュア領域）と、非暗号化データを記憶する非セキュアフォルダ（非セキュア領域）とが形成されており、制御部１０９は、情報入力部１１０によりメモリカード８のセキュア領域の閲覧要求があったときに、ＥＥＰＲＯＭ１０３に暗証番号の情報が記憶されていなければ、表示部２１２に暗証番号の入力を促す表示を行う第１処理（ステップＳ１０，Ｓ１１の処理）と、情報入力部１１０から暗証番号の情報が入力されたとき、当該入力された暗証番号の情報をＥＥＰＲＯＭ１０３に記憶する第２処理（ステップＳ１３の処理）と、情報入力部１１０から入力された暗証番号の情報によりメモリカード８のセキュアフォルダに記憶した暗号化データを復号化する第３処理（ステップＳ１４の処理）と、第３処理で復号化したデータを表示部２に表示する第４処理（ステップＳ１５の処理）と、通信インターフェイス１０７を介したコンピュータ装置１１との通信が確立され、その後当該通信が切断されたとき、ＥＥＰＲＯＭ１０３に暗証番号の情報が記憶されていれば、表示部２にメモリカード８のセキュア領域の暗号化データを表示可能にするか否かを選択させるための選択要求画面を表示する第５処理（ステップＳ４０〜Ｓ４２の処理）と、表示部２に選択要求画面が表示されている状態で、情報入力部１１０によりセキュアフォルダの暗号化データを表示可能にする選択操作があったとき、暗証番号の情報のＥＥＰＲＯＭ１０３及び／又はＲＡＭ１０２への記憶を維持し、情報入力部１１０によりセキュア領域の暗号化データを表示可能にしない選択操作があったとき、ＥＥＰＲＯＭ１０３から暗証番号の情報を消去する第６処理（ステップＳ４３，Ｓ４４の処理）と、を実行することとしたため、上述したコンピュータ装置１１の処理に呼応して動作させることができ、しかも、通信終了後に、ユーザがセキュア領域の暗号化データの表示を希望する場合、ユーザが再度暗証番号を入力する手間を省くことができる。
【０１００】
（６）第６処理は、表示部２に選択要求画面が表示されている状態で、情報入力部１１０によりセキュア領域の暗号化データを表示可能にする選択操作があったとき、メモリカード８（メモリ）のセキュア領域に記憶された暗号化データのタイトルリストを表示部２に表示すること（ステップＳ４７の処理）としたため、ユーザが再度暗証番号を入力する手間を省くことができる。
【０１０１】
（７）暗証番号の情報を記憶するＲＡＭ１０２（第２記憶部）を備え、第２処理（ステップＳ１３の処理）において、情報入力部１１０から入力された暗証番号の情報をＲＡＭ１０２に記憶し、第３処理（ステップＳ１４の処理）において、暗号化データの復号化をＲＡＭ１０２に記憶した暗証番号の情報により行い、第５処理（ステップＳ４０〜Ｓ４２の処理）において、通信インターフェイス１０７を介したコンピュータ装置１１との通信が確立され、その後当該通信が切断されたときに、ＥＥＰＲＯＭ１０３（記憶部）に暗証番号の情報が記憶されていれば、当該暗証番号の情報をＲＡＭ１０２に記憶すると共にＥＥＰＲＯＭ１０３から暗証番号の情報を消去するようにしており、さらに、通信インターフェイス１０７を介したコンピュータ装置１１との通信が確立されたときに、ＲＡＭ１０２に記憶した暗証番号の情報を消去する第７処理（ステップＳ４５，Ｓ１７の処理）を実行することとしたため、メモリカード８に形成されたセキュア領域に対するアクセス権を１つに絞って、セキュリティを高めることができる。
【０１０２】
（８）メモリカード８（メモリ）に記憶したデータの情報を表示すると共に、外部のコンピュータ装置１１からメモリカード８に記憶したデータの情報を読み出し可能とした携帯型表示装置１において、制御部１０９と、表示部２と、メモリカード８に記憶したデータの読み出しを行うメモリインターフェイス１０６と、コンピュータ装置１１とデータの送受信を行う通信インターフェイス１０７と、情報を入力する情報入力部１１０と、暗証番号の情報を記憶するＥＥＰＲＯＭ１０３（記憶部）と、を備え、メモリカード８には、暗号化データを記憶するセキュアフォルダ（セキュア領域）と、非暗号化データを記憶する非セキュアフォルダ（非セキュア領域）とが形成されており、制御部１０９は、情報入力部１１０によりメモリカード８のセキュア領域の閲覧要求があったときに、ＥＥＰＲＯＭ１０３に暗証番号の情報が記憶されていなければ、表示部２に暗証番号の入力を促す表示を行う第１処理（ステップＳ１０及びステップＳ１１の処理）と、情報入力部１１０から暗証番号の情報が入力されたとき、当該入力された暗証番号の情報をＥＥＰＲＯＭ１０３に記憶する第２処理（ステップＳ１３の処理）と、情報入力部１１０から入力された暗証番号の情報によりメモリカード８のセキュア領域に記憶した暗号化データを復号化する第３処理（ステップＳ１４セキュアフォルダ）と、第３処理（ステップＳ１４の処理）で復号化したデータを表示部２に表示する第４処理（ステップＳ１５の処理）と、通信インターフェイス１０７を介したコンピュータ装置１１との通信が確立され、その後当該通信が切断されたとき、ＥＥＰＲＯＭ１０３に暗証番号の情報が記憶されていれば、当該メモリカード８のセキュア領域に記憶した暗号化データを復号化し、当該復号化したデータを表示部２に表示する第５処理（ステップＳ４１，Ｓ４６,Ｓ４７の処理）と、を実行することとしたため、前述のコンピュータ装置１１の処理に呼応して動作させることができ、しかも、通信終了後に、セキュア領域の暗号化データを表示するに際し、ユーザが再度暗証番号を入力する手間を省くことができる。
【０１０３】
（９）メモリカード８（メモリ）に記憶したデータの情報を表示する携帯型表示装置１と、当該携帯型表示装置１と通信してメモリカード８に記憶したデータの情報を表示するコンピュータ装置１１とを備えた表示システムにおいて、メモリカード８には、暗号化データを記憶するセキュア領域と、非暗号化データを記憶する非セキュア領域とが形成されており、携帯型表示装置１は、制御部１０９と、表示部２と、メモリカード８に記憶したデータの読み出しを行うメモリインターフェイス１０６と、コンピュータ装置１１とデータの送受信を行う通信インターフェイス１０７と、情報を入力する情報入力部１１０と、暗証番号の情報を記憶するＥＥＰＲＯＭ１０３（記憶部）と、を備え、携帯型表示装置１の制御部１０９は、情報入力部１１０によりメモリカード８のセキュア領域の閲覧要求があったときに、ＥＥＰＲＯＭ１０３に暗証番号の情報が記憶されていなければ、表示部２に暗証番号の入力を促す表示を行う第１処理（ステップＳ１０，Ｓ１１の処理）と、情報入力部１１０から暗証番号の情報が入力されたとき、当該入力された暗証番号の情報をＥＥＰＲＯＭ１０３に記憶する第２処理（ステップＳ１３の処理）と、情報入力部１１０から入力された暗証番号の情報によりメモリ（メモリカード８の処理）のセキュア領域に記憶した暗号化データを復号化する第３処理（ステップＳ１４の処理）と、第３処理（ステップＳ１４の処理）で復号化したデータを表示部２に表示する第４処理（ステップＳ１５の処理）と、を実行するものであり、コンピュータ装置１１は、制御部２０８と、表示部２１２と、情報を入力する情報入力部２１１と、携帯型表示装置１とデータの送受信を行う通信インターフェイス２０３と、暗証番号の情報を記憶するためのＲＡＭ２０２（記憶部）と、を備えており、コンピュータ装置１１の制御部２０８は、通信インターフェイス２０３を介して携帯型表示装置１と接続したとき、携帯型表示装置１のＥＥＰＲＯＭ１０３に暗証番号の情報が記憶されているか否かを判定する第１処理（ステップＳ２２の処理）と、携帯型表示装置１のＥＥＰＲＯＭ１０３に暗証番号の情報が記憶されていると判定したとき、携帯型表示装置１のＥＥＰＲＯＭ１０３から暗証番号の情報を読み出してＲＡＭ２０２に記憶すると共に携帯型表示装置１のＥＥＰＲＯＭ１０３に記憶された暗証番号の情報を消去する第２処理（ステップＳ２３，Ｓ２４の処理）と、記憶部（ＲＡＭ２０２）に記憶した暗証番号の情報に含まれる暗証番号の情報に基づいてメモリカード８に記憶した暗号化データを復号化する第３処理（ステップＳ２５の処理）と、第３処理（ステップＳ２５の処理）で復号化したデータを表示部２１２に表示する第４処理（ステップＳ２６の処理）と、を実行することとしたため、携帯型表示装置１にて所定の暗証番号を入力し暗号化ファイルを閲覧している場合に、コンピュータ装置１１と接続してコンピュータ装置１１から暗号化ファイルの閲覧を行うに際し、暗証番号の再入力なしにコンピュータ装置１１上に暗号化ファイルを表示することができる。
【０１０４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１０５】
１  携帯型表示装置
２  表示部
４  操作部
８  メモリカード
１１  コンピュータ装置
１２  接続ケーブル
１３  ディスプレイ
１０２  ＲＡＭ
１０３  ＥＥＰＲＯＭ
１０４  キー入力Ｉ／Ｆ
１０６  メモリカードＩ／Ｆ
１０７  通信Ｉ／Ｆ
１０９  制御部
１１０  情報入力部
２０２  ＲＡＭ
２０３  通信Ｉ／Ｆ
２０４  情報入力Ｉ／Ｆ
２０８  制御部
２１１  情報入力部
２１２  表示部
【図１】
2010238059.tif 000003
【図２】
2010238059.tif 000004
【図３】
2010238059.tif 000005
【図４】
2010238059.tif 000006
【図５】
2010238059.tif 000007
【図６】
2010238059.tif 000008
【図７】
2010238059.tif 000009
【図８】
2010238059.tif 000010
【図９】
2010238059.tif 000011